(57)【要約】【課題】従来技術によれば、映像を撮られる側で、誰が見ているか分からず、例えば、独居老人の場合は、倒れるなど、何かあった場合に、見てくれている人が居るか否か不安であった。【解決手段】映像取得装置と映像出力装置を具備する情報処理システムであって、映像取得装置は、撮影した映像を映像出力装置に送信し、映像出力装置から映像を見ている人に関する情報である視聴者情報を受信し、当該受信した視聴者情報を出力し、映像出力装置は、映像取得装置から映像を受信し、当該受信した映像を出力し、視聴者情報を取得し、当該取得した視聴者情報を送信する情報処理システムであり、かかる情報処理システムにより、撮影されている者が、撮影の映像を、誰が、または何人見ているかなどを把握でき、安心できる。【選択図】  図２
2004274227.tif 000002
【特許請求の範囲】
【請求項１】
映像取得装置と映像出力装置を具備する情報処理システムであって、
前記映像取得装置は、
映像を撮影する映像撮影部と、
前記映像を前記映像出力装置に送信する映像送信部と、
前記映像出力装置から前記映像を見ている人に関する情報である視聴者情報を受信する視聴者情報受信部と、
前記視聴者情報受信部が受信した視聴者情報を出力する視聴者情報出力部を具備し、
前記映像出力装置は、
前記映像取得装置から映像を受信する映像受信部と、
前記映像受信部が受信した映像を出力する映像出力部と、
視聴者情報を取得する視聴者情報取得部と、
前記視聴者情報取得部が取得した視聴者情報を送信する視聴者情報送信部
を具備する情報処理システム。
【請求項２】
視聴者情報は、視聴者を識別する情報である視聴者識別子を１以上有し、
情報処理装置をさらに具備し、
前記情報処理装置は、
視聴者識別子と当該視聴者識別子で識別される視聴者に関する情報である関連情報を対応づけて格納している関連情報格納部と
前記映像出力装置が前記映像取得装置に送信した視聴者情報が有する視聴者識別子に対応する関連情報を前記関連情報格納部から取得する関連情報取得部と、
前記関連情報取得部が取得した関連情報を前記映像取得装置に送信する関連情報送信部を具備し、
前記視聴者情報出力部は、前記視聴者情報または／および前記関連情報を出力する請求項１記載の情報処理システム。
【請求項３】
前記視聴者情報出力部が出力する視聴者情報は、映像を見ている人を特定する情報である請求項１または請求項２いずれか記載の情報処理システム。
【請求項４】
前記視聴者情報出力部が出力する視聴者情報は、映像を見ている人数を識別する情報である請求項１または請求項２いずれか記載の情報処理システム。
【請求項５】
前記視聴者情報出力部は、光により視聴者情報を出力する請求項１から請求項４いずれか記載の情報処理システム。
【請求項６】
前記視聴者情報出力部は、映像を見ている人または／および映像を見ている人数を光により識別して出力する請求項５記載の情報処理システム。
【請求項７】
前記視聴者情報出力部は、映像を見ている人数を多段階の光出力により明示して示す請求項６記載の情報処理システム。
【請求項８】
請求項１から請求項７いずれか記載の情報処理システムを構成する映像取得装置。
【請求項９】
請求項１から請求項７いずれか記載の情報処理システムを構成する映像出力装置。
【請求項１０】
請求項２から請求項７いずれか記載の情報処理システムを構成する情報処理装置。
【請求項１１】
コンピュータに、
映像を取得する映像取得ステップと、
前記映像を送信する映像送信ステップと、
前記映像を見ている人に関する情報である視聴者情報を受信する視聴者情報受信ステップと、
前記視聴者情報を出力する視聴者情報出力ステップを実行させるためのプログラム。
【請求項１２】
コンピュータに、
映像を受信する映像受信ステップと、
前記映像受信ステップで受信した映像を出力する映像出力ステップと、視
聴者情報を取得する視聴者情報取得ステップと、
前記視聴者情報を送信する視聴者情報送信ステップを実行させるためのプログラム。
【請求項１３】
関連情報を受信する関連情報受信ステップと、
前記関連情報を出力する関連情報出力ステップをさらに具備する請求項７記載のプログラム。
【請求項１４】
映像を取得し、当該映像を送信し、当該映像を見ている人に関する情報である視聴者情報を受信し、出力する映像取得装置。
【請求項１５】
関連情報をも出力する請求項１４記載の映像取得装置。
【請求項１６】
映像を受信し、当該映像を送信し、視聴者情報を取得し、当該視聴者情報を送信する映像出力装置。
【発明の詳細な説明】
【０００１】
【発明の属する技術分野】
本発明は、映像を送受信でき、独居老人等の監視等に役立つ情報処理システム等に関する。
【０００２】
【従来の技術】
従来、インターネットを利用して、ある地点のカメラ映像を取得し、出力できるシステムが存在し、サービスが実施されている（非特許文献１）。かかるシステムにより、ある地点の様子が遠隔からでも取得できる。このシステムを利用して、自分が旅行に行った際に、家の人に依頼して、当該地点の映像を取得して、蓄積することは可能である。
【０００３】
また、幼稚園にカメラを設置して、幼稚園での子供の様子を親が家で見られるようなシステムが存在した。かかるシステムも、非特許文献１に示すサービスと同様である。
【０００４】
【非特許文献１】
札幌テレビ放送ホームページ、インターネット＜ｈｔｔｐ：／／ｗｗｗ．ｓｔｖ．ｎｅ．ｊｐ／ｗｅｂｃａｍ／ｏｔａｒｕｕｎｇａ／ｉｎｄｅｘ．ｈｔｍｌ＞
【０００５】
【発明が解決しようとする課題】
しかし、上記従来技術によれば、映像を撮られる側で、誰が見ているか分からない。したがって、例えば、独居老人の場合は、倒れるなど、何かあった場合に、見てくれている人が居るか否か不安であった。
【０００６】
【課題を解決するための手段】
そこで、第一の発明は、映像取得装置と映像出力装置を具備する情報処理システムであって、映像取得装置は、映像を撮影する映像撮影部と、映像を映像出力装置に送信する映像送信部と、映像出力装置から映像を見ている人に関する情報である視聴者情報を受信する視聴者情報受信部と、視聴者情報受信部が受信した視聴者情報を出力する視聴者情報出力部を具備し、映像出力装置は、映像取得装置から映像を受信する映像受信部と、映像受信部が受信した映像を出力する映像出力部と、視聴者情報を取得する視聴者情報取得部と、視聴者情報取得部が取得した視聴者情報を送信する視聴者情報送信部を具備する情報処理システムであり、かかる情報処理システムにより、撮影されている者が、撮影の映像を、誰が、または何人見ているかなどを把握でき、安心できる。
【０００７】
また、第二の発明は、情報処理装置をさらに具備し、情報処理装置は、視聴者識別子と当該視聴者識別子で識別される視聴者に関する情報である関連情報を対応づけて格納している関連情報格納部と映像出力装置が映像取得装置に送信した視聴者情報が有する視聴者識別子に対応する関連情報を関連情報格納部から取得する関連情報取得部と、関連情報取得部が取得した関連情報を映像取得装置に送信する関連情報送信部を具備し、視聴者情報出力部は、視聴者情報または／および関連情報を出力する上記の情報処理システムであり、かかる情報処理システムにより、さらに関連情報が出力されるので、さらに親近感が増し、好適である。
【０００８】
さらに、第三の発明は、光により視聴者情報を出力することにより、ぼんやりとやわらかく、視聴者の情報を撮影者に伝えることができ、プライバシーの保護を担保でき、また、安心感が増大する。
【０００９】
【発明の実施の形態】
以下、情報処理システム等の実施形態について図面を参照して説明する。なお、実施の形態において同じ符号を付した構成要素は同様の動作を行うので、再度の説明を省略する場合がある。
【００１０】
（実施の形態１）
図１は、本実施の形態における情報処理システムの概念図である。本情報処理システムは、映像取得装置１１と映像出力装置１２と視聴者情報格納装置１３を具備する。本実施の形態において、映像取得装置１１が取得した映像が映像出力装置１２に出力される。また、映像出力装置１２は、視聴者情報格納装置１３から視聴者情報を取得し、映像取得装置１１に視聴者情報を送信し、映像取得装置１１が視聴者情報を出力する。かかる処理により、映像取得装置１１で映像を撮られている人が、自分の映像を見ている視聴者が誰であるか、または、何人見ているか、などの情報である視聴者情報を取得することができる。
【００１１】
図２は、本実施の形態における情報処理システムのブロック図である。映像取得装置１１は、映像撮影部１１０１、映像送信部１１０２、視聴者情報受信部１１０３、視聴者情報出力部１１０４を具備する。
【００１２】
映像出力装置１２は、映像受信部１２０１、映像出力部１２０２、視聴者情報取得部１２０３、視聴者情報送信部１２０４を具備する。
【００１３】
視聴者情報格納装置１３は、視聴者情報格納部１３０１を具備する。
【００１４】
映像撮影部１１０１は、映像を撮影し、取得する。映像撮影部１１０１は、いわゆるカメラである。映像撮影部１１０１は、音声を取得しても良い。
【００１５】
映像送信部１１０２は、映像を映像出力装置１２に送信する。映像送信部１１０２は、音声も送信しても良い。映像送信部１１０２は、通常、無線または有線の通信手段で実現されるが、放送を受信する手段で実現されても良い。
【００１６】
視聴者情報受信部１１０３は、映像出力装置１２から映像を見ている人に関する情報である視聴者情報を受信する。視聴者情報は、例えば、映像の視聴者の氏名や識別番号を示す情報である。また、視聴者情報は、例えば、映像の視聴者の人数を示す情報である。また、視聴者情報は、例えば、映像の視聴者が居るか居ないかを示す情報である。その他、視聴者情報の内容やデータ構造は、問わない。視聴者情報受信部１１０３は、通常、無線または有線の通信手段で実現されるが、放送手段で実現されても良い。
【００１７】
視聴者情報出力部１１０４は、視聴者情報受信部１１０３が受信した視聴者情報を出力する。視聴者情報出力部１１０４の出力態様は問わない。視聴者情報出力部１１０４は、視聴者情報をディスプレイに明確に出力しても良いし、光によりぼんやりと視聴者の有無や視聴者の人数等を出力しても良いし、音出力でも良い。つまり、出力とは、ディスプレイの表示、プリンタへの印字、音出力、外部の装置への送信等を含む概念である。視聴者情報出力部１１０４は、ディスプレイやスピーカー等の出力デバイスを含むと考えても含まないと考えても良い。視聴者情報出力部１１０４は、出力デバイスのドライバーソフトまたは、出力デバイスのドライバーソフトと出力デバイス等で実現され得る。
【００１８】
映像受信部１２０１は、映像取得装置１１から映像を受信する。映像受信部１２０１は、音声を受信する場合もある。映像受信部１２０１は、通常、無線または有線の通信手段で実現されるが、放送を受信する手段で実現されても良い。
【００１９】
映像出力部１２０２は、映像受信部１２０１が受信した映像を出力する。映像出力部１２０２は、通常、ディスプレイに映像を出力する。また、映像受信部１２０１が音声を取得した場合は、映像出力部１２０２は音声も出力する。映像出力部１２０２は、ディスプレイやスピーカー等の出力デバイスを含むと考えても含まないと考えても良い。映像出力部１２０２は、出力デバイスのドライバーソフトまたは、出力デバイスのドライバーソフトと出力デバイス等で実現され得る。
【００２０】
視聴者情報取得部１２０３は、視聴者情報を取得する。視聴者情報取得部１２０３は、例えば、近距離無線通信手段で実現され得る。また、視聴者情報取得部１２０３は、例えば、無線タグリーダーである。また、視聴者情報取得部１２０３は、例えば、非接触ＩＣカードリーダーである。
【００２１】
視聴者情報送信部１２０４は、視聴者情報取得部１２０３が取得した視聴者情報を送信する。視聴者情報送信部１２０４は、通常、無線または有線の通信手段で実現されるが、放送手段で実現されても良い。
【００２２】
視聴者情報格納部１３０１は、視聴者情報を格納している。視聴者情報が映像出力装置１２に取得されるために、視聴者情報格納装置１３が視聴者情報を送信しても良いし、映像出力装置１２が、視聴者情報格納装置１３の視聴者情報を取得しに行っても良い。視聴者情報が、視聴者情報格納装置１３から映像出力装置１２に渡る手段は、特に問わない。
【００２３】
以下、本情報処理システムの動作について説明する。まず、映像取得装置１１の動作について説明する。
【００２４】
映像取得装置１１は、電源がＯＮになると、映像撮影部１１０１が撮影を開始し、当該撮影により取得した映像を、映像出力装置１２に送信し続ける。なお、電源ＯＦＦなどの割り込みにより、撮影は終了する。また、映像取得装置１１は、撮影と同時に並行して、映像出力装置１２から視聴者情報を受信し、出力する。かかる処理により、撮影されている者は、視聴者の有無や、視聴者の氏名等を知り得る。
【００２５】
次に、映像出力装置１２の動作について図３のフローチャートを用いて説明する。
【００２６】
（ステップＳ３０１）映像受信部１２０１が映像を受信したか否かを判断する。映像を受信すればステップＳ３０２に行き、映像を受信しなければステップＳ３０３に飛ぶ。
【００２７】
（ステップＳ３０２）映像出力部１２０２は、ステップＳ３０１で受信した映像を出力する。
【００２８】
（ステップＳ３０３）視聴者情報取得部１２０３は、視聴者情報を取得したか否かを判断する。視聴者情報を取得すればステップＳ３０４に行き、視聴者情報を取得しなければステップＳ３０１に戻る。
【００２９】
（ステップＳ３０４）視聴者情報送信部１２０４は、ステップＳ３０３で取得した視聴者情報を送信する。ステップＳ３０１に戻る。
【００３０】
なお、図３のフローチャートにおいて、電源オフや処理終了の割り込みにより処理は終了する。
【００３１】
また、視聴者情報格納装置１３は、自発的に視聴者情報を映像出力装置１２に送信しても良いし、映像出力装置１２からの視聴者情報の取得を待っていても良い。また、視聴者情報格納装置１３が自発的に視聴者情報を映像出力装置１２に送信する場合、送信するタイミングは問わない。
【００３２】
以下、本実施の形態における情報処理システムの具体的な動作について説明する。情報処理システムの概念図は図１である。
【００３３】
今、映像取得装置１１は、一人暮らしのおばあさんＡ（以下、ユーザＡ）の家に設置されている。映像取得装置１１は、映像撮影部１１０１のカメラと、視聴者情報出力部１１０４の光出力装置と、情報を送受信する通信手段を具備している。
【００３４】
また、映像出力装置１２は、おばあさんＡの息子の家族の家に設置されている。そして、息子夫婦や孫たちが、おばあさんＡの様子を遠隔から見ることができる。そして、映像出力装置１２は、具備するディスプレイにユーザＡの様子を出力する。また、映像出力装置１２は、息子夫婦や孫が持つ携帯電話や、携帯電話に貼付された無線タグや、ＩＣカードリーダーなどの視聴者情報格納装置１３から、視聴者情報を取得する。ここでは、視聴者情報は、視聴者の識別番号である、とする。
【００３５】
なお、視聴者情報出力部１１０４の光出力装置は、視聴している人が判断できるように、視聴者により光の色を変えて、光出力する。また、視聴者情報出力部１１０４は、視聴者の識別番号に対応して、出力する色を管理している。光出力管理表を図４に示す。光出力管理表は、「ＩＤ」「視聴者情報」「名称」「色」を有するレコードを１以上管理している。「ＩＤ」は、レコードを識別する情報であり、表管理上の要請のために存在する。「名称」は、視聴者情報に対応する人を示す情報である。「色」は、受信した視聴者情報に対応して発する色を示す。つまり、映像取得装置１１は、視聴者情報「５６７」で識別される孫が、映像を見ている場合には、緑色の光を発する。
【００３６】
また、視聴者情報出力部１１０４の光出力装置の外観の例を図５に示す。図５の光出力装置は、赤、青、緑の３色のＬＥＤを内部に具備する立方体形状の装置である。光出力装置は、視聴者情報を受信した場合に、当該視聴者情報に対応する色のＬＥＤを光らせる。
【００３７】
つまり、ユーザＡの映像が息子家族の家の映像出力装置１２に送信され、息子家族の、例えば、孫がユーザＡの様子を映像出力装置１２で見ている。そして、孫の視聴者情報「５６７」を映像出力装置１２が取得し、映像取得装置１１に送信する。
【００３８】
次に、映像取得装置１１は、視聴者情報「５６７」を受信し、当該視聴者情報「５６７」に対応する色「緑」を図４の光出力管理表から取得する。そして、光出力装置の緑のＬＥＤが光る。以上の処理により、ユーザＡは、孫が自分の様子を見てくれていることを、光によりやわらかく知ることができる。
【００３９】
なお、光出力装置は、図５の態様に限らない。光出力装置は、図６のように、豆電球で構成され、光の強さで、映像を視聴している人数を、ぼんやりと表しても良い。かかる場合、視聴者情報出力部は、映像を見ている人数を多段階の光出力により明示して示す態様である。映像を視聴している人数は、映像取得装置１１が受信する視聴者情報から判断できる。例えば、映像取得装置１１は、視聴者情報が有する識別情報の数から、視聴者の人数を得ることができる。
【００４０】
また、光出力装置は、図７に示すように、光が回転する態様により、光出力しても良い。図７の光出力装置は、豆電球と回転する反射鏡を有し、反射鏡が回転することにより、光が回転するように見える。かかる場合、光の回転速度により、視聴者の人数を表現することは好適である。これも、映像を見ている人数を多段階の光出力により明示して示す態様である。
【００４１】
さらに、光出力装置は、図８に示すように、液晶ディスプレイにより構成されても良い。光出力装置は、例えば、６面に設置された液晶ディスプレイの各面に、円形のグラフィックスを表示することにより、視聴者情報を光によりやわらかく出力する。その他、光出力装置の態様は、問わない。
【００４２】
また、視聴者情報出力部１１０４は、ディスプレイで構成され、視聴者の人数を数字で明瞭に出力したり、視聴者の名称「孫」や「息子」などを文字等で明瞭に出力したりしても良い（図９参照）。
【００４３】
以上、本実施の形態によれば、映像を撮影されている人が、映像を見ている視聴者に関する情報である視聴者情報を知ることができる。かかるシステムを独居老人の家とその息子の家などに設置した場合には、独居老人は息子等が見てくれていることを知ることができ、安心できる。かかるシステムは、日本における高齢化社会を潤いあるものにすることに寄与できる。
【００４４】
また、光出力装置でぼんやりと視聴者情報を知ることにより、プライバシーの侵害に対する安心感が向上する。
【００４５】
なお、本実施の形態によれば、視聴者情報の出力態様は、上記した例に限られないのは、言うまでもない。
【００４６】
また、本実施の形態によれば、映像取得装置と映像出力装置は、情報の送受信を直接に行ったが、他の装置を介在して、間接的に情報の送受信を行っても良い。つまり、情報処理システムの構成は、ピア・ツー・ピアでも、サーバ・クライアントの形態等、問わない。つまり、映像取得装置は、映像を取得し、当該映像を送信し、当該映像を見ている人に関する情報である視聴者情報を受信し、出力する機能を有する。また、映像出力装置は、映像を受信し、当該映像を送信し、視聴者情報を取得し、当該視聴者情報を送信する機能を有する。かかることは、他の実施の形態においても同様である。
【００４７】
また、本実施の形態において、光出力する場合に、光出力の制御を行うための情報を生成するのは、映像出力装置で行っても、映像取得装置で行っても良い。さらに、光出力の制御を行うための情報を生成するのは、第三の情報処理装置（アプリケーションサービスプロバイダーのサーバ装置など）が行っても良い。第三の情報処理装置が光出力の制御を行うための情報（光出力制御情報）を生成する場合は、第三の情報処理装置は映像出力装置から受信した情報に基づいて光出力制御情報を生成し、当該光出力制御情報を映像取得装置に送信する。
【００４８】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における映像取得装置を実現するソフトウェアは、以下のようなプログラムである。つまり、このプログラムは、コンピュータに、映像を取得する映像取得ステップと、映像を送信する映像送信ステップと、映像を見ている人に関する情報である視聴者情報を受信する視聴者情報受信ステップと、視聴者情報を出力する視聴者情報出力ステップを実行させるためのプログラム、である。また、映像出力装置を実現するソフトウェアは、以下のようなプログラムである。つまり、このプログラムは、コンピュータに、映像を受信する映像受信ステップと、映像受信ステップで受信した映像を出力する映像出力ステップと、視聴者情報を取得する視聴者情報取得ステップと、視聴者情報を送信する視聴者情報送信ステップを実行させるためのプログラム、である。
【００４９】
（実施の形態２）
本実施の形態において、情報処理装置を経由して、映像取得装置と映像出力装置の間で、情報の送受信がなされる。また、情報処理装置は、視聴者の情報に関する関連情報も映像取得装置に送信する。なお、情報処理装置は、例えば、カメラ監視、視聴者情報の送受信のサービスを実施するプロバイダーが保持する装置である。
【００５０】
図１０は、本実施の形態における情報処理システムの概念図である。本情報処理システムは、映像取得装置１０１、情報処理装置１０２、映像出力装置１０３、および視聴者情報格納装置１３を具備する。
【００５１】
図１１は、本実施の形態における情報処理システムのブロック図である。映像取得装置１０１は、映像撮影部１１０１、映像送信部１０１０２、視聴者情報受信部１０１０３、視聴者情報出力部１１０４、関連情報受信部１０１０５、関連情報出力部１０１０６を具備する。
【００５２】
情報処理装置１０２は、第二映像受信部１０２０１、第二映像送信部１０２０２、第二視聴者情報受信部１０２０３、第二視聴者情報送信部１０２０４、関連情報格納部１０２０５、関連情報取得部１０２０６、関連情報送信部１０２０７を具備する。
【００５３】
映像出力装置１０３は、映像受信部１０３０１、映像出力部１２０２、視聴者情報取得部１２０３、視聴者情報送信部１０３０４を具備する。
【００５４】
映像送信部１０１０２は、映像を情報処理装置１０２に送信する。映像送信部１０１０２は、音声も送信しても良い。映像送信部１０１０２は、通常、無線または有線の通信手段で実現されるが、放送を受信する手段で実現されても良い。
【００５５】
視聴者情報受信部１０１０３は、情報処理装置１０２から映像を見ている人に関する情報である視聴者情報を受信する。ここでは、視聴者情報は、視聴者を識別する情報である視聴者識別子を１以上有する。視聴者識別子の構造は問わない。視聴者識別子は、番号でも、氏名等でも良い。視聴者情報受信部１０１０３は、通常、無線または有線の通信手段で実現されるが、放送手段で実現されても良い。
【００５６】
関連情報受信部１０１０５は、情報処理装置１０２から関連情報を受信する。関連情報とは、視聴者識別子で識別される視聴者に関する情報である。関連情報とは、例えば、視聴者が写っている写真（静止画）の情報である。関連情報と視聴者識別子は、通常、対応付けて管理されている。その他、関連情報とは、例えば、視聴者のプロフィールなどを示す情報等でも良い。関連情報受信部１０１０５は、通常、無線または有線の通信手段で実現されるが、放送手段で実現されても良い。関連情報受信部１０１０５は、通常、無線または有線の通信手段で実現されるが、放送を受信する手段で実現されても良い。
【００５７】
関連情報出力部１０１０６は、関連情報受信部１０１０５が受信した関連情報を出力する。関連情報出力部１０１０６の出力態様は問わない。出力とは、ディスプレイの表示、プリンタへの印字、音出力、外部の装置への送信等を含む概念である。関連情報出力部１０１０６は、ディスプレイやスピーカー等の出力デバイスを含むと考えても含まないと考えても良い。関連情報出力部１０１０６は、出力デバイスのドライバーソフトまたは、出力デバイスのドライバーソフトと出力デバイス等で実現され得る。
【００５８】
第二映像受信部１０２０１は、映像を映像取得装置１０１から受信する。第二映像受信部１０２０１は、通常、無線または有線の通信手段で実現されるが、放送を受信する手段で実現されても良い。
【００５９】
第二映像送信部１０２０２は、第二映像受信部１０２０１が受信した映像を映像出力装置１０３に送信する。第二映像送信部１０２０２は、通常、無線または有線の通信手段で実現されるが、放送手段で実現されても良い。
【００６０】
第二視聴者情報受信部１０２０３は、映像出力装置１０３から視聴者情報を受信する。第二視聴者情報受信部１０２０３は、通常、無線または有線の通信手段で実現されるが、放送を受信する手段で実現されても良い。
【００６１】
第二視聴者情報送信部１０２０４は、第二視聴者情報受信部１０２０３が受信した視聴者情報を映像取得装置１０１に送信する。第二視聴者情報送信部１０２０４は、通常、無線または有線の通信手段で実現されるが、放送手段で実現されても良い。
【００６２】
関連情報格納部１０２０５は、視聴者識別子と当該視聴者識別子で識別される視聴者に関する情報である関連情報を対応づけて格納している。関連情報格納部１０２０５は、不揮発性の記録媒体でも、揮発性の記録媒体でも良い。
【００６３】
関連情報取得部１０２０６は、第二視聴者情報受信部１０２０３が受信した視聴者情報が有する視聴者識別子に対応する関連情報を関連情報格納部１０２０５から取得する。関連情報取得部１０２０６は、通常、ＭＰＵやメモリ等から実現され得る。関連情報取得部１０２０６が情報を取得するための処理手順は、通常、ソフトウェアで実現され、当該ソフトウェアはＲＯＭ等の記録媒体に記録されている。但し、ハードウェア（専用回路）で実現しても良い。
【００６４】
関連情報送信部１０２０７は、関連情報取得部１０２０６が取得した関連情報を映像取得装置１０１に送信する。関連情報送信部１０２０７は、通常、無線または有線の通信手段で実現されるが、放送手段で実現されても良い。
【００６５】
映像受信部１０３０１は、情報処理装置１０２から映像を受信する。映像受信部１０３０１は、音声を受信する場合もある。映像受信部１０３０１は、通常、無線または有線の通信手段で実現されるが、放送を受信する手段で実現されても良い。
【００６６】
視聴者情報送信部１０３０４は、情報処理装置１０２に視聴者情報を送信する。視聴者情報送信部１０３０４は、通常、無線または有線の通信手段で実現されるが、放送手段で実現されても良い。
【００６７】
以下、本情報処理システムの動作について説明する。まず、映像取得装置１０１の動作について説明する。
【００６８】
映像取得装置１０１は、電源がＯＮになると、映像撮影部１１０１が撮影を開始し、当該撮影により取得した映像を、情報処理装置１０２に送信し続ける。なお、電源ＯＦＦなどの割り込みにより、撮影は終了する。また、映像取得装置１０１は、撮影と同時に並行して、情報処理装置１０２から視聴者情報を受信し、出力する。かかる処理により、撮影されている者は、視聴者の有無や、視聴者の氏名等を知り得る。さらに、映像取得装置１０１は、情報処理装置１０２から関連情報を受信し、出力する。
【００６９】
次に、情報処理装置１０２の動作について図１２のフローチャートを用いて説明する。
【００７０】
（ステップＳ１２０１）第二映像受信部１０２０１は、映像取得装置１０１から映像を受信したか否かを判断する。映像を受信すればステップＳ１２０２に行き、映像を受信しなければステップＳ１２０３に飛ぶ。
【００７１】
（ステップＳ１２０２）第二映像送信部１０２０２は、ステップＳ１２０１で受信した映像を映像出力装置１０３に送信する。なお、第二映像送信部１０２０２は、通常、受信した映像を送信した映像取得装置１０１に対応する映像出力装置１０３に、映像を送信する。つまり、第二映像送信部１０２０２は、例えば、映像取得装置１０１のＩＰアドレスと対に管理されているＩＰアドレスで示される映像出力装置１０３に映像を送信する。
【００７２】
（ステップＳ１２０３）第二視聴者情報受信部１０２０３は、映像出力装置１０３から視聴者情報を受信したか否かを判断する。視聴者情報を受信すればステップＳ１２０４に行き、視聴者情報を受信しなければステップＳ１２０１に戻る。
【００７３】
（ステップＳ１２０４）第二視聴者情報送信部１０２０４は、ステップＳ１２０３で受信した視聴者情報を映像取得装置１０１に送信する。なお、第二視聴者情報送信部１０２０４は、通常、受信した視聴者情報を送信した映像出力装置１０３に対応する映像取得装置１０１に、視聴者情報を送信する。
【００７４】
（ステップＳ１２０５）関連情報取得部１０２０６は、ステップＳ１２０３で受信した視聴者情報が有する１以上の視聴者識別子をすべて取得する。
【００７５】
（ステップＳ１２０６）関連情報取得部１０２０６は、カウンタｉに１を代入する。
【００７６】
（ステップＳ１２０７）関連情報取得部１０２０６は、ステップＳ１２０５で取得した視聴者識別子の中に、ｉ番目の視聴者識別子が存在するか否かを判断する。ｉ番目の視聴者識別子が存在すればステップＳ１２０８に行き、ｉ番目の視聴者識別子が存在しなければステップＳ１２０１に戻る。
【００７７】
（ステップＳ１２０８）関連情報取得部１０２０６は、ｉ番目の視聴者識別子に対応する関連情報を、関連情報格納部１０２０５から取得する。ここでの関連情報の数は、１つであるとは限らない。
【００７８】
（ステップＳ１２０９）関連情報送信部１０２０７は、ステップＳ１２０８で取得した関連情報を映像取得装置１０１に送信する。
【００７９】
（ステップＳ１２１０）カウンタｉを１インクリメントする。ステップＳ１２０７に戻る。
【００８０】
なお、図１２のフローチャートにおいて、電源オフや処理終了の割り込みにより処理は終了する。
【００８１】
次に、映像出力装置１０３の動作について説明する。映像出力装置１０３は、情報処理装置１０２から受信した映像を出力し、取得した視聴者情報を情報処理装置１０２に送信する。なお、映像出力装置１０３は、情報処理装置１０２のＩＰアドレス等を保持している。
【００８２】
以下、本実施の形態における情報処理システムの具体的な動作について説明する。情報処理システムの概念図は図１０である。
【００８３】
今、映像取得装置１０１は、一人暮らしのおばあさんＡ（以下、ユーザＡ）の家に設置されている。映像取得装置１０１は、映像撮影部１１０１のカメラと、視聴者情報出力部１１０４と関連情報出力部１０１０６を構成するディスプレイと、情報を送受信する通信手段を具備している。
【００８４】
また、情報処理装置１０２は、視聴者識別子に対応する写真情報（静止画）を保持している。情報処理装置１０２は、プロバイダーが所有する装置である。情報処理装置１０２が保持している視聴者識別子と写真情報の例を図１３の関連情報関連情報管理表に示す。関連情報関連情報管理表は、「ＩＤ」「視聴者識別子」「関連情報」を有するレコードを１以上格納している。情報処理装置１０２の関連情報取得部１０２０６は、受信した視聴者情報が有する視聴者識別子に対応する写真情報を取得して、映像取得装置１０１に送信する。なお、視聴者識別子、および視聴者識別子に対応する写真情報を情報処理装置１０２に蓄積する手段は、問わない。
【００８５】
さらに、映像出力装置１０３は、ユーザＡの息子家族の家に設置されている。また、映像出力装置１０３は、非接触ＩＣカードリーダーを具備し、一定距離より近くにＩＣカードをぶら下げた人が居た場合に、当該ＩＣカードから視聴者情報を取得できる。
【００８６】
今、ユーザＡは、映像取得装置１０１により、家での活動の様子を撮影されている。映像取得装置１０１は、ユーザＡの様子を情報処理装置１０２に送信する。そして、情報処理装置１０２は、ユーザＡの様子の映像を映像出力装置１０３に転送している。そして、映像出力装置１０３は映像を受信し、出力している。
【００８７】
次に、映像出力装置１０３は、非接触ＩＣカードリーダーにより、ＩＣカードから視聴者情報を取得する。ここでは、視聴者情報は、「視聴者識別子」と視聴者識別子で識別される「名称」を１組以上有する。映像出力装置１０３が取得した視聴者情報の例を図１４に示す。図１４によれば、ユーザＡの孫と息子の視聴者情報が取得されている。つまり、ユーザＡの孫と息子の二人がユーザＡの様子を示す映像を見ている。
【００８８】
次に、映像出力装置１０３は、図１４の視聴者情報を情報処理装置１０２に送信する。情報処理装置１０２は、図１４の視聴者情報を受信し、当該視聴者情報を映像取得装置１０１に転送する。
【００８９】
次に、情報処理装置１０２は、図１４の視聴者情報から視聴者識別子「５６７」「１２３」を取得する。そして、情報処理装置１０２は、視聴者識別子「５６７」に対応する関連情報を図１３の関連情報関連情報管理表から検索する。そして、情報処理装置１０２は、検索した関連情報（ここでは、ユーザＡと孫が一緒に写っている写真の静止画情報）を映像取得装置１０１に送信する。同様に、情報処理装置１０２は、視聴者識別子「１２３」に対応する関連情報（ここでは、ユーザＡと息子夫婦が一緒に写っている写真の静止画情報）を取得し、映像取得装置１０１に送信する。
【００９０】
次に、映像取得装置１０１は、情報処理装置１０２から受信した視聴者情報、関連情報を出力する。映像取得装置１０１における関連情報等の出力例を図１５に示す。図１５によれば、視聴者情報と関連情報をディスプレイに表示している。
【００９１】
以上、本実施の形態によれば、映像を撮影されている人が、映像を見ている視聴者に関する情報である視聴者情報や、関連情報を得ることができる。かかるシステムを独居老人の家とその息子の家などに設置した場合には、独居老人は息子等が見てくれていることを知ることができ、安心できる。また、写真などの関連情報を出力することにより、親近感が沸き、日本における高齢化社会を潤いあるものにすることに寄与できる。
【００９２】
なお、本実施の形態によれば、視聴者情報の出力態様は、実施の形態１における出力態様と同様に、光によりやわらかく知らせても良い。その他、視聴者情報の出力態様は、問わない。
【００９３】
また、本実施の形態によれば、映像や関連情報も情報処理装置経由で、映像取得装置と映像出力装置間で送受信したが、映像取得装置と映像出力装置の間で直接に映像や関連情報を送受信しても良い。また、関連情報を取得する作業は、情報処理装置が行ったが、かかる処理を映像取得装置または映像出力装置で行うことも可能である。かかる処理により、情報処理システムの構成は、ピア・ツー・ピアとなる。
【００９４】
また、本実施の形態によれば、関連情報は、主として、写真の情報であったが、他の内容の情報、他のタイプの情報でも構わないのは、言うまでもない。
【００９５】
さらに、本実施の形態において、映像取得装置は、視聴者情報と関連情報を出力したが、視聴者情報と関連情報のどちらか一方だけ出力しても良い。
【発明の効果】
以上のように本発明によれば、撮影されている者が、撮影の映像を、誰が、または何人見ているかなどを把握でき、安心できる。
【図面の簡単な説明】
【図１】実施の形態１における情報処理システムの概念図
【図２】実施の形態１における情報処理システムのブロック図
【図３】実施の形態１における映像出力装置の動作を説明するフローチャート
【図４】実施の形態１における光出力管理表を示す図
【図５】実施の形態１における光出力装置の外観の例を示す図
【図６】実施の形態１における光出力装置の外観の例を示す図
【図７】実施の形態１における光出力装置の外観の例を示す図
【図８】実施の形態１における光出力装置の外観の例を示す図
【図９】実施の形態１における視聴者情報出力部の出力例を示す図
【図１０】実施の形態２における情報処理システムの概念図
【図１１】実施の形態２における情報処理システムのブロック図
【図１２】実施の形態２における情報処理装置の動作を説明するフローチャート
【図１３】実施の形態２における関連情報関連情報管理表を示す図
【図１４】実施の形態２における視聴者情報の例を示す図
【図１５】実施の形態２における関連情報等の出力例を示す図
【符号の説明】
１１  映像取得装置
１２  映像出力装置
１３  視聴者情報格納装置
１１０１  映像撮影部
１１０２、１０１０２  映像送信部
１１０３、１０１０３  視聴者情報受信部
１１０４  視聴者情報出力部
１２０１、１０３０１  映像受信部
１２０２  映像出力部
１２０３  視聴者情報取得部
１２０４、１０３０４  視聴者情報送信部
１３０１  視聴者情報格納部
１０１０５  関連情報受信部
１０１０６  関連情報出力部
１０２０１  第二映像受信部
１０２０２  第二映像送信部
１０２０３  第二視聴者情報受信部
１０２０４  第二視聴者情報送信部
１０２０５  関連情報格納部
１０２０６  関連情報取得部
１０２０７  関連情報送信部
【図１】
2004274227.tif 000003
【図２】
2004274227.tif 000004
【図３】
2004274227.tif 000005
【図４】
2004274227.tif 000006
【図５】
2004274227.tif 000007
【図６】
2004274227.tif 000008
【図７】
2004274227.tif 000009
【図８】
2004274227.tif 000010
【図９】
2004274227.tif 000011
【図１０】
2004274227.tif 000012
【図１１】
2004274227.tif 000013
【図１２】
2004274227.tif 000014
【図１３】
2004274227.tif 000015
【図１４】
2004274227.tif 000016
【図１５】
2004274227.tif 000017